(57)【要約】【課題】受板の爪部の変形を防止して、ロック強度を高めることができ、しかも、樋支持具本体との係止力を強固にし、製造も容易にする。【解決手段】取付杆１と、該取付杆１とスライド可能に連結される樋支持具本体２と、水平方向に回転可能な横回転ロックレバー３と、この横回転ロックレバー３の回転操作に応じて上下移動される受板４とを備え、これらを上下に貫通する連結軸５で連結し、上記横回転ロックレバー３の回転操作によって、上記取付杆１と樋支持具本体２とを圧接固定又は圧接解除してスライド可能にした雨樋支持具Ａにおいて、上記受板４は、上記連結軸５の軸孔４２を備えた基板４１の長手方向の前、後端に爪部４３を形成したことを特徴とする。【選択図】図１
2005076362.tif 000002
【特許請求の範囲】
【請求項１】
取付杆と、該取付杆とスライド可能に連結される樋支持具本体と、水平方向に回転可能な横回転ロックレバーと、この横回転ロックレバーの回転操作に応じて上下移動される受板とを備え、これらを上下に貫通する連結軸で連結し、上記横回転ロックレバーの回転操作によって、上記取付杆と樋支持具本体とを圧接固定又は圧接解除してスライド可能にした雨樋支持具において、
上記受板は、上記連結軸の軸孔を備えた基板の長手方向の前、後端に爪部を形成したことを特徴とする雨樋支持具。
【請求項２】
請求項１において、
上記爪部は、鉛直方向に形成されていることを特徴とする雨樋支持具。
【請求項３】
請求項１又は請求項２の何れかにおいて、
上記爪部の内側に、別の爪部を併設したことを特徴とする雨樋支持具。
【請求項４】
請求項１〜３の何れかにおいて、
上記樋支持具本体の下面には、上記爪部の上端が係止される凹凸部を形成したことを特徴とする雨樋支持具。
【請求項５】
請求項１〜３の何れかにおいて、
上記樋支持具本体のスライド長孔の両側壁には、上記爪部の上端が係止される凹凸部を形成したことを特徴とする雨樋支持具。
【発明の詳細な説明】
【技術分野】
【０００１】
本発明は、軒先や壁等に設置される雨樋支持具の改良に関する。
【背景技術】
【０００２】
従来、取付杆と、該取付杆とスライド可能に連結される樋支持具本体と、水平方向に回転可能な横回転ロックレバーと、この横回転ロックレバーの回転操作に応じて上下移動される受板と、バネワッシャ等の弾性部材を備え、これらを上下に貫通する連結軸で連結し、上記横回転ロックレバーの回転操作によって、上記取付杆と樋支持具本体とを圧接固定又は圧接解除してスライド可能にする雨樋支持具があった。（例えば、特許文献１参照。）。
【０００３】
すなわち、横回転ロックレバーをロック方向に回転操作すれば、この横回転ロックレバーが上記受板に形成された膨出部に乗り上げて、前記受板を押上げると共に、樋支持具本体をも押上げて、この樋支持具本体を取付杆に圧接する。
【０００４】
このとき、上記受板に立設された爪部が、上記樋支持具本体の下面に圧接、或いは、当該下面に形成された凹凸部に係止された状態となるので、取付杆と樋支持具本体との圧接を維持して固定（圧接固定）してロック状態にできる。
【０００５】
なお、ロック状態からアンロック方向に回転操作すれば、上記と逆動作によってアンロック状態にできる。
【特許文献１】登録実用新案第３０５００９８号
【発明の開示】
【発明が解決しようとする課題】
【０００６】
しかし、上記受板に立設された上記爪部は、受板の適所を切り欠き、更に切り起こして形成されているため、ロック時の圧接固定によって爪部が変形し易く、ロック強度が弱いという問題があった。
【０００７】
また、上記受板の切り欠いた部分には開口が形成されるため、この開口によってが受板全体との強度も弱くなってしまう問題もある。
【０００８】
更に、上記爪部を切り起こして形成するため、爪部の上端が丸くなり易く、樋支持具本体をの係止力が弱くなるうえ、上記受板の製造に手間がかかるという問題もあった。
【０００９】
本発明は、かかる課題を解決することを目的とするもので、受板の爪部の変形を防止して、ロック強度を高めることができ、しかも、樋支持具本体との係止力を強固にし、製造も容易にできる雨樋支持具を提供する。
【課題を解決するための手段】
【００１０】
上記目的を達成するため、
請求項１に係る雨樋支持具は、取付杆と、該取付杆とスライド可能に連結される樋支持具本体と、水平方向に回転可能な横回転ロックレバーと、この横回転ロックレバーの回転操作に応じて上下移動される受板とを備え、これらを上下に貫通する連結軸で連結し、上記横回転ロックレバーの回転操作によって、上記取付杆と樋支持具本体とを圧接固定又は圧接解除してスライド可能にした雨樋支持具において、上記受板は、上記連結軸の軸孔を備えた基板の長手方向の前、後端に爪部を形成したことを特徴とする。
【００１１】
このものでは、受板の前、後端に爪部を形成しているので、爪部の変形を防止し、受板のロック強度を高めることができる。
【００１２】
また、爪部を切り起こして形成していないので、爪部の上端が丸くなり難く、樋支持具本体との係止力が強くなり、受板全体の強度も高めることができるうえ、製造も容易にできる。
【００１３】
請求項２に係る雨樋支持具は、請求項１において、上記爪部は、鉛直方向に形成されていることを特徴とする。
【００１４】
このものでは、爪部が鉛直方向に形成されているので、受板の係止力を高めることができる。
【００１５】
請求項３に係る雨樋支持具は、請求項１又は請求項２の何れかにおいて、上記爪部の内側に、別の爪部を併設したことを特徴とする。
【００１６】
このものでは、爪部が２重に設けているので、受板の係止力を高めることができる。
【００１７】
請求項４に係る雨樋支持具は、請求項１〜３の何れかにおいて、上記樋支持具本体の下面には、上記爪部の上端が係止される凹凸部を形成したことを特徴とする。
【００１８】
このものでは、爪部が、樋支持具本体の下面に形成された凹凸部に嵌合されて係止するので、受板の係止力をより高めて確実にできる。
【００１９】
請求項５に係る雨樋支持具は、請求項１〜３の何れかにおいて、上記樋支持具本体のスライド長孔の両側壁には、上記爪部の上端が係止される凹凸部を形成したことを特徴とする。
【００２０】
このものでは、爪部が、スライド長孔の両側壁に形成された凹凸部に嵌合されて係止するので、受板の係止力をより高めて確実にできる。
【発明の効果】
【００２１】
本発明によれば、次のような効果がある。
請求項１に係る雨樋支持具によれば、受板の前、後端に爪部を形成しているので、爪部の変形を防止し、受板のロック強度を高めることができる。
【００２２】
また、爪部を切り起こし形成していないので、爪部の上端が丸くなり難く、樋支持具本体との係止力が強くなり、受板全体の強度も高めることができるうえ、製造も容易にできる。
【００２３】
請求項２に係る雨樋支持具によれば、爪部が鉛直方向に形成されているので、樋支持具本体との係止力を強固にでき、ロックを確実にできる。
【００２４】
請求項３に係る雨樋支持具によれば、爪部が２重に設けられるので、樋支持具本体との係止力を強固にでき、ロックを確実にできる。
【００２５】
請求項４に係る雨樋支持具によれば、爪部が、樋支持具本体の下面に形成された凹凸部に嵌合されて係止するので、樋支持具本体との係止力をより強固にでき、ロックをより確実にできる。
【００２６】
請求項５に係る雨樋支持具によれば、爪部が、スライド長孔の両側壁に形成された凹凸部に嵌合されて係止するので、樋支持具本体との係止力をより強固にでき、ロックをより確実にできる。
【発明を実施するための最良の形態】
【００２７】
以下、本発明に係る雨樋支持具を図面とともに説明する。
【実施例１】
【００２８】
図１は、本発明に係る雨樋支持具Ａの一実施例を示す分解斜視図であり、図２（ａ）、（ｂ）は、図１で示した雨樋支持具Ａのロック、アンロック状態を示す要部概略動作図である。
【００２９】
なお、図２（ａ）は、ロック状態を示し、図２（ｂ）は、アンロック状態を示している。
【００３０】
この雨樋支持具Ａは、取付杆１と、該取付杆１とスライド可能に連結される樋支持具本体２と、水平方向に回転可能な横回転ロックレバー３と、この横回転ロックレバー３の回転操作に応じて上下移動される受板４と、これらを上下に貫通する連結軸５で連結して構成している。以下、各部材について詳説する。
【００３１】
取付杆１は、軒先等に固定される取付足板１１の上端中央から前方に向けて足杆１２を延設し、この足杆１２の前方には、段落ち形成した連結片部１３を形成している。
【００３２】
この連結片部１３には、連結軸５を貫通する軸孔１４を開設している。
【００３３】
樋支持具本体２は、長板状のスライド板本体２１の前後端に、図示のような雨樋（軒樋）Ｔを吊下げ支持するための樋掛止部２２を各々形成している。
【００３４】
また、スライド板本体２１の長手方向の中央には、連結軸５が貫通する長孔２３を開設している。
【００３５】
なお、本実施例の樋支持具本体２は、ステンレスなどの金属板を折り曲げて形成したものを示しているが、硬質の樹脂で一体成形したものでも構わない。
【００３６】
横回転ロックレバー３は、下方に開放した断面コ状に形成し、基板３１の中心乃至略長手方向に変位された位置には、連結軸５を貫通する軸孔３２を形成しており、この軸孔３２を中心にして水平方向に回転可能にしている。
【００３７】
また、基板３１の幅方向の両側端には、横回転ロックレバー３を回転操作するための一対の操作片３３を形成している。
【００３８】
受板４は、基板４１の中央に連結軸５の軸孔４２を備え、また、受板４の長手方向の前、後端に爪部４３を形成している。
【００３９】
本実施例では、基板４１の下面の長手方向の前、後には、下方に向けて膨出させた２つの膨出部４４を形成し、この膨出部４４の両端を基板４１よりも上方に突出させて延設し、膨出部４４に連続された爪部４３を形成している。
【００４０】
これらの膨出部４４の間隔は、横回転ロックレバー３の基板３１の幅方向長さよりも略長くなるように設定され、アンロック時には、２つの膨出部４４の間に、横回転ロックレバー３の基板３１が落し込まれる構造にしている。
【００４１】
また、膨出部４４の頂上に凸部４４ａを形成し、この凸部４４ａを嵌合する凹部３１ａを横回転ロックレバー３の基板３１の前、後に形成して、凸部４４ａと凹部３１ａが嵌合されたときに、横回転ロックレバー３がロック位置で保持される構造にしているので、振動や衝撃等で横回転ロックレバー３のロック状態が誤ってアンロック方向に回転することを防止できる。また、上記嵌合時には、ロック時のクリック音或いはクリック感を得ることができる。
【００４２】
連結軸５は、取付杆１の軸孔１４、樋支持具本体２の長孔２３、受板４の軸孔４２、横回転ロックレバー３の軸孔３２を貫通する軸部５１を備えており、ここでは、リベットを例示しているが、一対のボルト、ナットを用いることも可能である。
【００４３】
また、連結軸５の下端には、バネワッシャ６、板ワッシャ７を介在しておくのが良い。
【００４４】
このように構成された雨樋支持具Ａは、図１で示すように連結軸５（リベット）の軸部５１を、取付杆１の軸孔１３、樋支持具本体２の長孔２３、受板４の軸孔４２、横回転ロックレバー３の軸孔３２に順次貫通し、バネワッシャ６、板ワッシャ７を介在させた後、連結軸５の下端をカシメ止めて枢着され、樋支持具本体２が、取付杆１に対して前、後にスライド可能としている。
【００４５】
上記のように構成した本発明の雨樋支持具Ａは、以下の要領で作用する。
【００４６】
先ず、取付杆１を軒先等に固定した後、樋支持具本体２を前、後にスライドさせて出具合を調節し、所望の位置で横回転ロックレバー３をロック方向に回転操作してロック状態にする〔図１、図２（ａ）参照〕。
【００４７】
具体的には、横回転ロックレバー３をロック方向（図１、図２（ａ）で示す方向）に回転操作すれば、横回転ロックレバー３の基板３１が、受板４の膨出部４４に乗り上げ、この膨出部４４の高さ分だけ受板４を押上げる。
【００４８】
同時に、受板４の爪部４３は、樋支持具本体２の下面を押し上げると共に、樋支持具本体２も押上げられて、取付杆１に圧接する。
【００４９】
この圧接のとき、バネワッシャ６が下方に向けて弾性付勢された状態となるので、取付杆１と樋支持具本体２との圧接を維持して固定（圧接固定）してロック状態にできる〔図１、図２（ａ）参照〕。
【００５０】
一方、ロック状態を解除するには、ロック状態から横回転ロックレバー３をアンロック方向（図２（ｂ）で示す方向）に回転操作すれば、横回転ロックレバー３の基板３１が、受板４の膨出部４４から脱落し、この膨出部４４の高さ分だけ受板４が落下するので、樋支持具本体２も落下されて取付杆１と離脱する。
【００５１】
この離脱によって、取付杆１と樋支持具本体２との圧接が解除されてアンロック状態となり、樋支持具本体２をスライド可能にできる〔図１、図２（ｂ）参照〕。
【００５２】
このような雨樋支持具Ａによれば、受板４の前、後端に爪部４３を形成しているので、爪部４３の変形を防止し、受板４のロック強度を高めることができる。
【００５３】
また、爪部４３を切り起こし形成していないので、受板４全体の強度も高めることができるうえ、製造も容易にできる。
【実施例２】
【００５４】
図３（ａ）、（ｂ）は、爪部の他の実施例を示した雨樋支持具Ａのロック、アンロック状態を示す要部概略動作図である。
【００５５】
ここで、図１、図２と共通する部位には、同一の番号を付し、その説明は省略する。
【００５６】
この雨樋支持具Ａの爪部４３は、鉛直方向に形成されていることを特徴とする。
【００５７】
すなわち、図３で示す爪部４３は、受板４の基板４１の下方に向けて膨出された２つの膨出部４４の頂上から、上方且つ鉛直方向に連続されて形成している。
【００５８】
そのため、図３（ａ）で示すロック状態では、受板４の爪部４３が、樋支持具本体２のスライド板本体２１の下面に対して略直交された状態で圧接するので、受板４の係止力を高めることができる。
【実施例３】
【００５９】
図４は、爪部の更に他の実施例を示した雨樋支持具Ａのロック状態を示す要部概略図である。
【００６０】
ここで、図１〜図３と共通する部位には、同一の番号を付し、その説明は省略する。
【００６１】
この受板４は、上記爪部４３の内側に、別の爪部４３ａを更に併設したことを特徴とする。
【００６２】
すなわち、爪部４３の内側に位置する基板４１を切り起こして、この爪部４３と同様な別の爪部４３ａを更に形成している。
【００６３】
図４の場合では、別の爪部４３ａを切り起こして形成しているので、図１〜図３のものに比べて受板全体の強度が劣るという欠点はあるが、ロック状態では、受板４の爪部４３及び爪部４３ａの両者が、樋支持具本体２のスライド板本体２１の下面に対して圧接するので、図１〜図３のものに比べて受板４の係止力を高めることができる点で優れている。
【００６４】
このような雨樋支持具Ａによれば、爪部４３及び爪部４３ａを２重に設けているので、受板４の係止力を高めることができる。
【実施例４】
【００６５】
図５は、樋支持具本体の他の実施例を示す要部概略図である。
【００６６】
ここで、図１〜図４と共通する部位には、同一の番号を付し、その説明は省略する。
【００６７】
この樋支持具本体２は、下面に爪部４３の上端が係止される凹凸部２１ａを形成したことを特徴とする。
【００６８】
すなわち、樋支持具本体２の長孔２３の両側下面に図のような凹凸部２１ａ或いは線状の溝（不図示）を形成し、ロック状態では、図５で示すように、凹凸部２１ａの凹部に、爪部４３の上端が係止されるようにしている。
【００６９】
このような雨樋支持具Ａによれば、爪部４３が樋支持具本体２の凹凸部２１ａに係止されるので、受板４の係止力をより高めて確実にできる。
【実施例５】
【００７０】
図６は、本発明の雨樋支持具の他の実施例を示す分解斜視図である。
【００７１】
ここで、図１〜図５と共通する部位には、同一の番号を付し、その説明は省略する。
【００７２】
この雨樋支持具Ａは、樋支持具本体２のスライド長孔２３の両側壁に爪部４３の上端が係止される凹凸部２３ａを形成したことを特徴とする。
【００７３】
すなわち、樋支持具本体２のスライド長孔２３の両側壁に、長手方向に向けて連続した図のような凹凸部２３ａを形成する。
【００７４】
一方、受板４の膨出部４４の両端には、凹凸部２３ａに係止される爪部４３’を上方に突出させて形成している。
【００７５】
このような雨樋支持具Ａによれば、受板４の爪部４３’が、スライド長孔２３の両側壁に形成された凹凸部２３ａに嵌合されて係止するので、樋支持具本体２との係止力をより強固にでき、ロックをより確実にできる。
【産業上の利用可能性】
【００７６】
本発明は、雨樋支持具として有効に利用することが可能である。
【図面の簡単な説明】
【００７７】
【図１】本発明に係る雨樋支持具Ａの一実施例を示す分解斜視図である。
【図２】（ａ）、（ｂ）は、図１で示した雨樋支持具Ａのロック、アンロック状態を示す要部概略動作図である。
【図３】（ａ）、（ｂ）は、爪部の他の実施例を示した雨樋支持具Ａのロック、アンロック状態を示す要部概略動作図である。
【図４】爪部の更に他の実施例を示した雨樋支持具Ａのロック状態を示す要部概略図である。
【図５】樋支持具本体の他の実施例を示す要部概略図である。
【図６】本発明の雨樋支持具の他の実施例を示す分解斜視図である。
【符号の説明】
【００７８】
Ａ      雨樋支持具
Ｔ      雨樋
１      取付杆
２      樋支持具本体
２１ａ  凹凸部
２３ａ  凹凸部
３      横回転ロックレバー
４      受板
４１    基板
４２    軸孔
４３    爪部
４３’  爪部
４３ａ  別の爪部
５      連結軸
【図１】
2005076362.tif 000003
【図２】
2005076362.tif 000004
【図３】
2005076362.tif 000005
【図４】
2005076362.tif 000006
【図５】
2005076362.tif 000007
【図６】
2005076362.tif 000008